(57)【要約】      （修正有）【課題】地点や環境要因により制限されないとともに、良好な位置決め精度及び大きな把持力が要求される条件での各種孔径の孔を開けることができ、且つ体積が小さく、操作しやすく、低コストで、携帯しやすい簡易なボーリング装置を提供する。【解決手段】ボーリング装置は、ベース１、支持ロッド８及び電気ドリル１０を備え、ベースの上方に補強リブ２が固定され、支持ロッドは電気ドリルホルダー１２と押圧ハンドル９の間に接続され、支持ロッドの上方が第２ピン軸７により押圧ハンドルに接続され、支持ロッドの下方が第３ピン軸１６により電気ドリルホルダーに接続され、電気ドリルは電気ドリルホルダーの一方側に取り付けられ、電気ドリルホルダーの一方側表面に第１、第２ボルトナットユニット１３が接続され、電気ドリルの下方にドリル１４が固定され、電気ドリルホルダーの表面に支持ロッド調整孔１５が開口する。【選択図】図１
0003219607.tif 000002
【実用新案登録請求の範囲】
【請求項１】
ベース（１）、支持ロッド（８）及び電気ドリル（１０）を備える簡易なボーリング装置であって、
前記ベース（１）の上方に補強リブ（２）が固定され、且つ補強リブ（２）の上方にあり状ガイドレール（３）が接続され、且つあり状ガイドレール（３）の一方側にスライダー（４）が接続され、前記あり状ガイドレール（３）の他方側にバネ（５）が固定され、且つバネ（５）の上方が押圧ハンドル（９）に接続され、且つ押圧ハンドル（９）は第１ピン軸（６）によりあり状ガイドレール（３）に接続され、前記支持ロッド（８）は電気ドリルホルダー（１２）と押圧ハンドル（９）の間に接続され、且つ支持ロッド（８）の上方は第２ピン軸（７）により押圧ハンドル（９）に接続され、且つ支持ロッド（８）の下方は第３ピン軸（１６）により電気ドリルホルダー（１２）に接続され、前記電気ドリル（１０）は電気ドリルホルダー（１２）の一方側に取り付けられ、且つ電気ドリルホルダー（１２）の一方側表面に第１ボルトナットユニット（１１）と第２ボルトナットユニット（１３）が接続され、且つ電気ドリル（１０）の下方にドリル（１４）が固定され、前記電気ドリルホルダー（１２）の表面に支持ロッド調整孔（１５）が開口していることを特徴とする簡易なボーリング装置。
【請求項２】
前記あり状ガイドレール（３）はベース（１）に垂直に分布しており、且つあり状ガイドレール（３）が補強リブ（２）によってベース（１）に接続される方式は溶接であることを特徴とする請求項１に記載の簡易なボーリング装置。
【請求項３】
前記スライダー（４）とあり状ガイドレール（３）は係合され、且つスライダー（４）とあり状ガイドレール（３）は摺動構造を構成していることを特徴とする請求項１に記載の簡易なボーリング装置。
【請求項４】
前記支持ロッド（８）は第２ピン軸（７）により押圧ハンドル（９）とともに回転構造を構成し、且つ支持ロッド（８）は第３ピン軸（１６）によりスライダー（４）とは取り外し可能な取り付け構造を構成し、且つ押圧ハンドル（９）の一方側の下方が波形構造を有することを特徴とする請求項１に記載の簡易なボーリング装置。
【請求項５】
前記押圧ハンドル（９）は第１ピン軸（６）によりあり状ガイドレール（３）とともに回転構造を構成し、且つ押圧ハンドル（９）の他方側がバネ（５）に固定して接続され、且つ押圧ハンドル（９）はバネ（５）によりあり状ガイドレール（３）とは伸縮構造を構成することを特徴とする請求項１に記載の簡易なボーリング装置。
【請求項６】
前記電気ドリルホルダー（１２）の一方側が円形構造を呈し、且つ電気ドリルホルダー（１２）と電気ドリル（１０）はボルトにより接続されることを特徴とする請求項１に記載の簡易なボーリング装置。
【考案の詳細な説明】
【技術分野】
【０００１】
本考案はボーリング装置の技術分野に関し、具体的には、簡易なボーリング装置である。
【背景技術】
【０００２】
ボーリングは、日常生活に不可欠な作業であり、たとえば、たとえば排水管、木材などの各種材料に所望の孔を開けて装飾効果を果たす。しかしながら、従来のボーリング装置は、体積が大きく、価格が高く、移動しにくく、各種地点や環境でのボーリングニーズを満たせず、また、手持ち電気ドリルでは良好な位置決め精度及び大きな把持力が要求される条件での各種孔径を有する孔を開けることができないため、上記のような問題を解決するための簡易なボーリング装置が期待されている。
【考案の概要】
【考案が解決しようとする課題】
【０００３】
本考案の目的は、簡易なボーリング装置を提供し、上記背景技術に記載の、従来のボーリング装置の体積が大きく、価格が高く、移動しにくく、各種地点や環境でのボーリングニーズを満たせず、また、手持ち電気ドリルでは良好な位置決め精度及び大きな把持力が要求される条件での各種孔径を有する孔を開けることができないという問題を解決することである。
【課題を解決するための手段】
【０００４】
上記目的を達成させるために、本考案は下記技術案を提供する。簡易なボーリング装置であって、ベース、支持ロッド及び電気ドリルを備え、前記ベースの上方に補強リブが固定され、且つ補強リブの上方にあり状ガイドレールが接続され、且つあり状ガイドレールの一方側にスライダーが接続され、前記あり状ガイドレールの他方側にバネが固定され、且つバネの上方が押圧ハンドルに接続され、且つ押圧ハンドルは第１ピン軸によりあり状ガイドレールに接続され、前記支持ロッドは電気ドリルホルダーと押圧ハンドルの間に接続され、且つ支持ロッドの上方は第２ピン軸により押圧ハンドルに接続され、且つ支持ロッドの下方は第３ピン軸により電気ドリルホルダーに接続され、前記電気ドリルは電気ドリルホルダーの一方側に取り付けられ、且つ電気ドリルホルダーの一方側表面に第１ボルトナットユニットと第２ボルトナットユニットが接続され、且つ電気ドリルの下方にドリルが固定され、前記電気ドリルホルダーの表面に支持ロッド調整孔が開口している。
【０００５】
好ましくは、前記あり状ガイドレールはベースに垂直に分布しており、且つあり状ガイドレールが補強リブによってベースに接続される方式は溶接である。
【０００６】
好ましくは、前記スライダーとあり状ガイドレールは係合され、且つスライダーとあり状ガイドレールは摺動構造を構成している。
【０００７】
好ましくは、前記支持ロッドは第２ピン軸により押圧ハンドルとともに回転構造を構成し、且つ支持ロッドは第３ピン軸によりスライダーとは取り外し可能な取り付け構造を構成し、且つ押圧ハンドルの一方側の下方が波形構造を有する。
【０００８】
好ましくは、前記押圧ハンドルは第１ピン軸によりあり状ガイドレールとともに回転構造を構成し、且つ押圧ハンドルの他方側がバネに固定して接続され、且つ押圧ハンドルはバネによりあり状ガイドレールとは伸縮構造を構成する。
【０００９】
好ましくは、前記電気ドリルホルダーの一方側が円形構造を呈し、且つ電気ドリルホルダーと電気ドリルはボルトにより接続される。
【考案の効果】
【００１０】
従来技術に比べて、本考案の有益な効果は以下のとおりである。該簡易なボーリング装置は、地点や環境要因により制限されないとともに、良好な位置決め精度及び大きな把持力が要求される条件での各種孔径を有する孔を開けることができ、且つ体積が小さく、操作しやすく、低コストで、携帯しやすいなどの特徴を有するボーリング装置であり、日常生活においてさまざまな孔を開けるボーリング要件を満たす。
（1）  補強リブを設置することで、ベースとあり状ガイドレールの剛性を向上させて、該装置の安定性を向上させる。
（2）  スライダーを設置することで、スライダーにより電気ドリルホルダーを駆動してあり状ガイドレールにおいて上下摺動させることが容易になり、該装置のボーリング効果を向上させる。
（3）  バネを設置することで、バネの付勢力により、押圧ハンドルは、ボーリング作動終了後、自動的に元の高さに戻る。
（4）  電気ドリルホルダーは、固定末端部と可動部とを有し、且つ２つの部分のいずれも半円弧状挟持部材であり、固定末端部である半円弧状挟持部材と移動可能な半円弧状挟持部材はボルトナットユニットによって接続され、ボルトナットユニットを調整して接続することだけで、異なる規格直径の電気ドリルを固定することができ、同時に固定部分は溶接方式でスライダーに接続され、このように剛性が確保される。
（5）  支持ロッド調整孔を設置することで、ピン軸は支持ロッド調整孔を介して支持ロッドの異なる位置に接続されることで、電気ドリルの上下運動限界を調整して、異なる深さの孔をボーリングする。
【図面の簡単な説明】
【００１１】
【図１】本考案の構造模式正面図である。
【図２】本考案の構造模式左面図である。
【図３】本考案の電気ドリルホルダーの構造模式図である。
【図４】本考案の押圧ハンドルの構造模式図である。
【考案を実施するための形態】
【００１２】
以下、本考案の実施例における図面を参照しながら、本考案の実施例における技術案を明瞭且つ完全に説明し、勿論、説明する実施例は本考案の実施例の一部に過ぎず、すべての実施例ではない。本考案における実施例に基づいて、当業者が創造的な努力を必要とせずに想到し得るすべてのほかの実施例は、本考案の保護範囲に属する。
【００１３】
図１−４に示されるように、技術案として、本考案は、簡易なボーリング装置を提供し、ベース１、補強リブ２、あり状ガイドレール３、スライダー４、バネ５、第１ピン軸６、第２ピン軸７、支持ロッド８、押圧ハンドル９、電気ドリル１０、第１ボルトナットユニット１１、電気ドリルホルダー１２、第２ボルトナットユニット１３、ドリル１４、支持ロッド調整孔１５及び第３ピン軸１６を備え、ベース１の上方に補強リブ２が固定され、且つ補強リブ２の上方にあり状ガイドレール３が接続され、且つあり状ガイドレール３の右側にスライダー４が接続され、あり状ガイドレール３の左側にバネ５が固定され、且つバネ５の上方は押圧ハンドル９に接続され、且つ押圧ハンドル９は第１ピン軸６によりあり状ガイドレール３に接続され、支持ロッド８は電気ドリルホルダー１２と押圧ハンドル９の間に接続され、且つ支持ロッド８の上方は第２ピン軸７により押圧ハンドル９に接続され、支持ロッド８の下方は第３ピン軸１６により電気ドリルホルダー１２に接続され、電気ドリル１０は電気ドリルホルダー１２の右側に取り付けられ、且つ電気ドリルホルダー１２の右側表面に第１ボルトナットユニット１１と第２ボルトナットユニット１３が接続され、且つ電気ドリル１０の下方にドリル１４が固定され、電気ドリルホルダー１２の表面に支持ロッド調整孔１５が開口している。
【００１４】
本例では、あり状ガイドレール３はベース１に垂直に分布しており、且つあり状ガイドレール３が補強リブ２によってベース１に接続される方式は溶接である。補強リブ２であり状ガイドレール３とベース１の間の接続剛性を向上させ、該装置の安定性を向上させる。
【００１５】
スライダー４とあり状ガイドレール３は係合され、且つスライダー４とあり状ガイドレール３は摺動構造を構成している。このように、スライダー４はあり状ガイドレール３において摺動しやすく、さらにボーリング稼動の操作が容易になる。
【００１６】
支持ロッド８は第２ピン軸７により押圧ハンドル９とともに回転構造を構成し、且つ支持ロッド８は第３ピン軸１６によりスライダー４とは取り外し可能な取り付け構造を構成し、且つ押圧ハンドル９の右側の下方が波形構造を有し、このように、電気ドリルホルダー１２と押圧ハンドル９を効果的に支持して、電気ドリル１０を昇降させやすい。
【００１７】
押圧ハンドル９は第１ピン軸６によりあり状ガイドレール３とともに回転構造を構成し、且つ押圧ハンドル９の左側がバネ５に固定して接続され、且つ押圧ハンドル９はバネ５によりあり状ガイドレール３とは伸縮構造を構成し、このように、バネ５を牽引することにより、押圧ハンドル９を元の位置に回復させる。
【００１８】
電気ドリルホルダー１２の右側が円形構造を呈し、且つ電気ドリルホルダー１２と電気ドリル１０はボルトにより接続され、このように、第１ボルトナットユニット１１と第２ボルトナットユニット１３により異なる規格の電気ドリル１０が効果的に固定され、装置の実用性を向上させる。
【００１９】
作動原理は以下のとおりである。まず、該装置を使用する場所にセットして、ボーリングする必要のある物品をベース１の表面のドリル１４の下方に置き、ボーリングするときに、電気ドリル１０を起動させて、電気ドリル１０でドリル１４を駆動して回転させ、次に、押圧ハンドル９を下へ押して、押圧ハンドル９を第１ピン軸６の作用下で下へ回動させ、それにより押圧ハンドル９の左側のバネ５を引張り状態にし、同時に押圧ハンドル９の中央部にある支持ロッド８で電気ドリルホルダー１２を駆動して下へ押し付け、電気ドリルホルダー１２の左側にあるスライダー４をあり状ガイドレール３において下へ摺動させ、さらに電気ドリルホルダー１２の右側にある電気ドリル１０を下へ運動させ、更にドリル１４による物品でのボーリングを容易にする。バネ５により、押圧ハンドル９は、ボーリング作業が終了した後、自動的に元の高さに戻り、このように、該装置の実用性を向上させる。電気ドリルホルダー１２の右側にある第１ボルトナットユニット１１と第２ボルトナットユニット１３により、電気ドリルホルダー１２には異なる規格の電気ドリル１０が容易に固定でき、支持ロッド調整孔１５が支持ロッド８の異なる位置に接続されることで、電気ドリル１０の上下運動限界を調整して、異なる深さの孔を開け、該装置のボーリング効果を向上させることができ、本明細書では、詳細に説明していない内容については、当業者が公知する従来技術である。
【００２０】
前述実施例を参照しながら、本考案を詳細に説明したが、当業者であれば、前述各実施例に記載の技術案を修正したり、一部の技術的特徴の同等置換を行ったりすることができ、本考案の精神と原則を逸脱せずに、行われる修正、同等置換や改良などはいずれも本考案の保護範囲に含まれる。
【符号の説明】
【００２１】
１、ベース
２、補強リブ
３、あり状ガイドレール
４、スライダー
５、バネ
６、第１ピン軸
７、第２ピン軸
８、支持ロッド
９、押圧ハンドル
１０、電気ドリル
１１、第１ボルトナットユニット
１２、電気ドリルホルダー
１３、第２ボルトナットユニット
１４、ドリル
１５、支持ロッド調整孔
１６、第３ピン軸。
【図１】
0003219607.tif 000003
【図２】
0003219607.tif 000004
【図３】
0003219607.tif 000005
【図４】
0003219607.tif 000006